(57)【要約】【課題】パチンコ機に設けられた貯留タンクの遊技球排出方向が右側の場合でも取付可能な貯留タンク満杯検出装置の取付構造を得る。【解決手段】貯留タンク１５２の前壁１６４の上流側に薄肉部１６６を設け、裏セット１５０には薄肉部１６６と対応する部位に切り欠き１６８を形成して、薄肉部１６６では前壁１６４の前面１６４Ａを露出させる。この薄肉部１６６に、検出装置本体２０２の右側部に設けたフック２４２を係合させることで、検出装置本体２０２をタンク上流側に配置するとともに検出部である回動部材２１２を下流側に向けた状態で、満杯検出装置２００を右側排出構造の貯留タンク１５２に取り付けることができる。【選択図】        図７
2004208763.tif 000002
【特許請求の範囲】
【請求項１】
パチンコ機に設けられた貯留タンクの遊技球貯留量が所定量に達したか否かを検出する検出部を前面側に備えた検出装置本体と、
前記検出装置本体の右側部に設けられ前記貯留タンクの周壁部に係合可能な係合部と、
を有する貯留タンク満杯検出装置を、右側排出構造の貯留タンクに取り付ける貯留タンク満杯検出装置の取付構造であって、
前記右側排出構造の貯留タンクの前壁に、前記係合部が係合可能な被係合部を設けたことを特徴とする貯留タンク満杯検出装置の取付構造。
【請求項２】
前記係合部は、弾性変形により拡縮可能なフック状とされ、前記被係合部は、前記前壁の後面と、前壁の前側が開口されて露出された前面と、を有することを特徴とする請求項１記載の貯留タンク満杯検出装置の取付構造。
【請求項３】
前記貯留タンク満杯検出装置は、前記検出部により検出した検出情報を伝送する配線を更に備え、前記パチンコ機が有する内枠の裏面側に、前記配線を固定する配線固定部を設けたことを特徴とする請求項１又は請求項２記載の貯留タンク満杯検出装置の取付構造。
【請求項４】
前記配線固定部を、更に前記右側排出構造の貯留タンクの左側壁に設けたことを特徴とする請求項３の貯留タンク満杯検出装置の取付構造。
【発明の詳細な説明】
【０００１】
【発明の属する技術分野】
本発明は、パチンコ機に設けられた貯留タンクの遊技球貯留量が所定量に達したか否かを検出する貯留タンク満杯検出装置の取付構造に関する。
【０００２】
【従来の技術】
遊技球を用いて遊技を行うパチンコ機は、機器の裏面側の上部に、島設備の遊技球補給装置から補給された遊技球を貯える貯留タンクが設けられている。例えば、図８に示されるパチンコ機４００の場合、内枠４０２の裏面に取り付けられた裏セット４０３の上部に貯留タンク（上タンク）４０４が配設されている。この貯留タンク４０４は、底壁４０６が裏面視左側へ下降傾斜されてその左側最下端部に排出口４０８が設けられており、タンク内に貯えた遊技球ＢＬを左側へ流下させて排出口４０８から落下・排出するようになっている。さらに、貯留タンク４０４から排出された遊技球ＢＬは、貯留タンク４０４の下方に配置された球整列樋（下タンク）４１０に収容され、裏面視右側へ下降傾斜したその球整列樋４１０により、右側へ流下しながら球詰まりとならないよう整列されて賞球払出装置４１２へ送られる。
【０００３】
また、このような貯留タンク４０４には、図９（Ａ）、（Ｂ）に示すように、貯留タンク４０４の遊技球貯留量が所定量（満杯状態）に達したか否かを検出する貯留タンク満杯検出装置４２０が取り付けられる。図１０及び図１１に示される従来の貯留タンク満杯検出装置４２０（以下、単に「満杯検出装置４２０」と呼ぶ）では、固定部材４２２のフック４２４を貯留タンク４０４の後壁４２６、右側に嵌め込み固定することで、検出装置本体４２８をタンク内の上流側にセットし、検出装置本体４２８に内蔵された検出スイッチ４３０の配線４３２は、パチンコ機４００のヒンジ部４３４側に引き回して遊技球補給装置に接続される。
【０００４】
これにより、貯留タンク４０４が遊技球で満杯になると、検出装置本体４２８の回動部材４３６が球圧（図１０の矢印Ｐ）によって装置内方へ回動し、その回動部材４３６に触子４３８が押されて検出スイッチ４３０はスイッチＯＮとなる。また、賞球の払い出しなどに伴い貯留タンク４０４の遊技球貯留量が減少すると、回動部材４３６に加わる球圧が低下して触子４３８は突出し、検出スイッチ４３０はスイッチＯＦＦとなる。そして、スイッチＯＦＦでは遊技球補給装置が作動し遊技球は自動補給され、スイッチＯＮでは遊技球の補給が停止し過剰補給とならないよう管理されて、貯留タンク４０４の遊技球貯留量は満杯状態に保たれる。
【０００５】
一方、近年のパチンコ機では、遊技性を向上させるために表示装置や役物が大型化される傾向にある。さらに、制御の高度化、複雑化に伴い各種回路基板は大型化しているため、パチンコ機裏面側の部品搭載スペースを拡大させたい要望がある。そのため、図１２に示されるパチンコ機５００のように、貯留タンク５０２の底壁５０４を裏面視右側へ下降傾斜させ、遊技球ＢＬを底壁５０４の右側最下端部に設けた排出口５０６から排出することによって、球整列樋５０８を小型化し部品搭載スペースを拡大させたり（部品搭載スペース拡大領域５１０）、これと同様に右側排出構造の貯留タンクを用いて球整列樋を削除するなどの技術が提案されている（例えば、特許文献１参照）。
【０００６】
また、このような右側排出構造の貯留タンクにも満杯検出装置が取り付けられるようにするため、貯留タンクの上流側における前後内壁面に対向する一対の溝部を形成し、その一対の溝部に満杯検出装置の幅方向両側端部を嵌め込んで取り付ける構造が提案されている（例えば、特許文献２参照）。
【０００７】
【特許文献１】
特開２０００−５４１１公報  （第３頁、第１図、第２図、第３図、第４図）
【特許文献２】
特開２０００−２３７４１８公報  （第３−４頁、第４図、第５図）
【０００８】
【発明が解決しようとする課題】
しかしながら、上述した特許文献２に示される従来例では、満杯検出装置を貯留タンク内に嵌め込んで取り付けるため、その満杯検出装置と対応していない、タンク形状の異なるパチンコ機には使用することができない。
【０００９】
また、前述したフック固定式の満杯検出装置４２０では、右側排出構造の貯留タンクに取り付けようとすると、フック４２４が貯留タンクの前壁側に配置される。しかし、その貯留タンクの前壁は裏セット（又は内枠）の裏面と面接しているため、フック４２４を嵌め込むことができず取付不可能である。また、仮に取り付けられたとしても、満杯検出装置は島設備側への配線接続箇所から離れ、配線の引き回し距離が延びるため、内枠を開閉する際に配線が邪魔になり、さらには内枠閉塞時に配線を挟み込む危険性もある。
【００１０】
本発明は上記事実を考慮して、パチンコ機に設けられた貯留タンクの遊技球排出方向が右側の場合でも貯留タンク満杯検出装置が取付可能な貯留タンク満杯検出装置の取付構造を提供することを課題とする。また、右側排出構造の貯留タンクに貯留タンク満杯検出装置を取り付けた場合でも内枠を支障なく開閉することができる貯留タンク満杯検出装置の取付構造を提供することを課題とする。
【００１１】
【課題を解決するための手段】
上記目的を達成するために請求項１に記載の発明は、パチンコ機に設けられた貯留タンクの遊技球貯留量が所定量に達したか否かを検出する検出部を前面側に備えた検出装置本体と、前記検出装置本体の右側部に設けられ前記貯留タンクの周壁部に係合可能な係合部と、を有する貯留タンク満杯検出装置を、右側排出構造の貯留タンクに取り付ける貯留タンク満杯検出装置の取付構造であって、前記右側排出構造の貯留タンクの前壁に、前記係合部が係合可能な被係合部を設けたことを特徴としている。
【００１２】
請求項１に記載の発明では、検出装置本体の右側部に設けられた係合部を、右側排出構造の貯留タンクの前壁に設けた被係合部に係合させることにより、検出装置本体を貯留タンクの上流側に配置するとともに検出部を下流側に向けた状態で、貯留タンク満杯検出装置を右側排出構造の貯留タンクに取り付けることができる。
【００１３】
請求項２に記載の発明は、請求項１記載の貯留タンク満杯検出装置の取付構造において、前記係合部は、弾性変形により拡縮可能なフック状とされ、前記被係合部は、前記前壁の後面と、前壁の前側が開口されて露出された前面と、を有することを特徴としている。
【００１４】
請求項２に記載の発明では、係合部が弾性変形により拡縮可能なフック状とされている場合、被係合部は、貯留タンクの前壁の後面（タンク内面）と、前壁の前側が開口されて露出された前面と、を有する構成とすることにより、そのフック状の係合部は、前壁を挟み込むようにして前壁の後面及び前面に係合することができる。また、フック状の係合部であれば、前壁の厚さや形状等が異なる様々な貯留タンクに対し、確実且つ容易に係合させることができる。
【００１５】
請求項３に記載の発明は、請求項１又は請求項２記載の貯留タンク満杯検出装置の取付構造において、前記貯留タンク満杯検出装置は、前記検出部により検出した検出情報を伝送する配線を更に備え、前記パチンコ機が有する内枠の裏面側に、前記配線を固定する配線固定部を設けたことを特徴としている。
【００１６】
請求項３に記載の発明では、パチンコ機に設けられた貯留タンクは、貯留タンクに取り付けられた貯留タンク満杯検出装置によって遊技球貯留量が所定量に達したか否かが検出され、その検出情報は配線によって伝送される。この貯留タンク満杯検出装置を右側排出構造の貯留タンクに取り付けた場合は、配線が内枠の裏面側に設けた配線固定部によって固定される。そのため、配線が邪魔にならずに内枠を支障なく開閉することができるようになる。また、貯留タンク満杯検出装置を左側排出構造の貯留タンクに取り付けた場合でも、配線固定部に配線を固定することで配線整理することができる。
【００１７】
請求項４に記載の発明は、請求項３の貯留タンク満杯検出装置の取付構造において、前記配線固定部を、更に前記右側排出構造の貯留タンクの左側壁に設けたことを特徴としている。
【００１８】
請求項４に記載の発明では、貯留タンク満杯検出装置の配線引き出し部から内枠の裏面側に設けた配線固定部までの距離が長い場合、配線の弛みなどが問題となるが、その配線引き出し部から内枠の裏面側の配線固定部までの間を、右側排出構造の貯留タンクの左側壁に設けた配線固定部で固定することにより、配線を弛みなく整理することができる。
【００１９】
【発明の実施の形態】
以下、図面を参照して本発明の実施の形態について説明する。
【００２０】
（パチンコ機の構成）
図１及び図２には、一実施の形態に係るパチンコ機が示されている。図１及び図２に示すように、パチンコ機１０は、パチンコ機１０の外郭を構成するとともにパチンコホールの島設備に設置される矩形状の外枠１２を備えている。外枠１２の前面には矩形額縁状の内枠１４が配置されており、内枠１４は、外枠１２に設けられた一対のヒンジ部１６、１８に左側端部が軸支されて開閉可能に取り付けられている。また外枠１２の前面下部には、装飾部材である合成樹脂製の下飾り２０が取り付けられている。
【００２１】
内枠１４の前面上部には、ガラス板２２を装着したガラスフレーム２４を備えるガラス枠２６が配置されており、ガラス枠２６は左側端部が内枠１４に軸支されて開閉可能に取り付けられている。また、内枠１４の上部におけるガラス枠２６裏面側には、交換可能とされた遊技盤１００がセットされており、遊技盤１００は、ガラス枠２６を内枠１４に閉塞した状態でガラス枠２６に覆われるようになっている。
【００２２】
図２に示すように、パチンコ機１０の正面となるガラス枠２６の前面には、賞球表示灯や完了表示灯等としての機能を有する複数の表示灯８０と、賞球払出エラー表示灯８２及び払出状態エラー表示灯８４とがガラス板２２（遊技盤１００の遊技領域）を取り囲むように配列されており、さらに左上隅近傍と右側端上部には、遊技の効果音をステレオ出力するスピーカー８６、８８が配設されている。
【００２３】
また、内枠１４の前面下部には、遊技球を貯える球皿２８を備えた一体皿ユニット３０が配置されている。この一体皿ユニット３０も左側端部が内枠１４に軸支されて開閉可能に取り付けられており、一体皿ユニット３０の前面には、図２に示すように、左側下部に灰皿３２が配置され右側端部には打球の飛距離を調整するための発射ハンドル３４が取り付けられている。
【００２４】
一体皿ユニット３０の裏面には、発射ハンドル３４の基端部がネジ止めされてその基端固定部分を補強する板金製の発射ハンドル補強板３６と、球皿２８に貯められた遊技球が送り込まれる球送り装置３８とが取り付けられている。また、内枠１４の下部における一体皿ユニット３０裏面側には、遊技盤１００の左下に発射装置４０が配置され球皿２８の後方に位置して貯球タンク４２が取り付けられており、これらの発射装置４０及び貯球タンク４２は一体皿ユニット３０に覆われるようになっている。
【００２５】
内枠１４の裏面側には、貯球タンク４２の左側略上方に位置して賞球払出装置（図示省略）が設けられており、賞球払出装置から払い出された賞球は貯球タンク４２の上面左端部に形成されたタンク入口（図示省略）を介してタンク内へ落下されるようになっている。また、貯球タンク４２は、タンク底面が右側へ下り傾斜しており、その傾斜方向下流側となる前面右側端部にはタンク出口４４が形成されている。このタンク出口４４は、一体皿ユニット３０に形成された賞球排出口４６と対応して配置されており、賞球排出口４６は一体皿ユニット３０の前面に設けられた球皿２８と連通している。これにより、賞球払出装置からタンク内へ払い出された賞球は、タンク底面上を上流側（左側）から下流側（右側）へ転動し、タンク出口４４を介して賞球排出口４６から球皿２８に排出される。
【００２６】
また、タンク出口４４と賞球排出口４６との各下方位置には、上下方向に移動可能とされたシャッター板４８、５０がそれぞれ設けられている。このシャッター板４８、５０は、図２に示すように一体皿ユニット３０が閉塞された状態では各々下方へ移動してタンク出口４４と賞球排出口４６とを連通させ、図１に示すように一体皿ユニット３０が開放されると各々上方へ移動して、シャッター板４８はタンク出口４４の下縁側を、シャッター板５０は賞球排出口４６の下縁側を塞ぐようになっている。これにより、一体皿ユニット３０を開放した際に球皿２８及び貯球タンク４２から遊技球（賞球）がこぼれ出さないようにされている。
【００２７】
一方、内枠１４裏面の右側端部には施錠装置５２が取り付けられている。施錠装置５２にはシリンダー錠（錠前）５４が設けられており、このシリンダー錠５４の鍵孔５６は内枠１４の前面から露出されている。また、施錠装置５２の上下端部近傍で、外枠１２の右内側面に設けられた一対の鍵受け部５８Ａ、５８Ｂと対応する位置には、後方へ突出された一対の内枠固定用フック６０Ａ、６０Ｂが設けられており、ガラス枠２６裏面の右側端部に取り付けられているガラス枠補強板６２に設けられた一対の鍵受け部６４Ａ、６４Ｂと対応する位置には、内枠１４に形成されたスリット６６Ａ、６６Ｂを通して前方へ突出された一対のガラス枠固定用フック６８Ａ、６８Ｂが設けられている。さらに、施錠装置５２の下方部で、一体皿ユニット３０裏面の発射ハンドル補強板３６に形成された一対の鍵受け開口部７０Ａ、７０Ｂと対応する位置には、内枠１４に形成されたスリット７２Ａ、７２Ｂを通して前方へ突出された一対の一体皿ユニット固定用フック７４Ａ、７４Ｂが設けられている。これにより、内枠１４を閉じた際は、内枠固定用フック６０Ａ、６０Ｂが鍵受け部５８Ａ、５８Ｂに係合して内枠１４は外枠１２に固定され、ガラス枠２６を閉じた際は、ガラス枠補強板６２の鍵受け部６４Ａ、６４Ｂがガラス枠固定用フック６８Ａ、６８Ｂに係合してガラス枠２６は内枠１４に固定される。一体皿ユニット３０を閉じた際は、発射ハンドル補強板３６の鍵受け開口部７０Ａ、７０Ｂが一体皿ユニット固定用フック７４Ａ、７４Ｂに係合して一体皿ユニット３０は内枠１４に固定される。
【００２８】
また、内枠固定用フック６０Ａ、６０Ｂ及びガラス枠固定用フック６８Ａ、６８Ｂは、シリンダー錠５４の鍵孔５６に図示しない鍵を差し込んで所定方向に回すことにより、係合状態がそれぞれ解除されて解錠されるようになっている。一体皿ユニット固定用フック７４Ａ、７４Ｂについては、ガラス枠２６を開放すると露出される施錠装置５２の解除レバー７６を押し下げることにより、一体皿ユニット固定用フック７４Ａ、７４Ｂが下方へスライドして鍵受け開口部７０Ａ、７０Ｂとの係合状態が解除されるようになっている。この施錠装置５２により、内枠１４は外枠１２に施錠され、ガラス枠２６は内枠１４に施錠されるとともに、一体皿ユニット３０は内枠１４にロックされて、それぞれ閉塞状態に固定される。
【００２９】
（遊技盤の構成）
遊技盤１００は、装飾画（図示省略）を印刷した樹脂製シート状のセルが基板であるベニヤ板に貼着されてそのセルの表面が盤面１００Ａとなっている。盤面１００Ａの外周端部付近には、円弧状の外レール１０２及び内レール１０４が取り付けられており、これらの外レール１０２と内レール１０４とによって囲まれた円形状の領域は、遊技球が移動可能な遊技領域１０１とされている。
【００３０】
遊技領域１０１（盤面１００Ａ）のほぼ中央には、特別図柄表示装置１０６が配置されている。特別図柄表示装置１０６は液晶ディスプレイを内蔵しており、そのディスプレイ画面１０８には特別図柄の抽選や各種演出等のアニメーションが表示される。
【００３１】
特別図柄表示装置１０６の下方には、始動口（スタート・チャッカー）１１０が配置されている。始動口１１０の下方には、遊技領域１０１の下端部付近に位置して変動入賞装置（特別電動役物）１１２が配設されており、変動入賞装置１１２は、普通図柄表示装置１１３及び左右幅方向を長手とした矩形状の大入賞口（アタッカー）１１４を備え、大入賞口１１４内には通称「Ｖゾーン」と呼ばれる連続役物作動口（図示省略）が設けられている。大入賞口１１４は、開閉扉１１６が開放又は閉塞することによって開口又は閉口するようになっており、開閉扉１１６の開放時には、開閉扉１１６上に落下した遊技球が開閉扉１１６に案内されて大入賞口１１４へ入賞する。さらに、遊技領域１０１には、入賞口１１８、風車１２０、サイド飾り１２２Ｌ、１２２Ｒが設けられており、最下位置にアウト口１２４が配置されている。
【００３２】
なお、上述した役物や各種遊技部品が取り付けられている遊技領域１０１には、遊技領域１０１内を落下する遊技球を所定の経路に誘導する多数の遊技釘が打ち込まれているが、図１ではそれら遊技釘の図示を省略している。また、本実施形態のパチンコ機１０は、発射装置４０を遊技盤１００の左下に配置して遊技球を上方に発射する機種であり、従来機種に比べてアウト口１２４の位置を下げることにより遊技領域１０１が拡大されている。また、パチンコ機本体は、ガラス枠２６や一体皿ユニット３０等を備えるとともに遊技盤１００が搭載された内枠１４によって構成されており、それらの内枠１４、ガラス枠２６、及び一体皿ユニット３０等は全て樹脂成形品とされている。
【００３３】
（パチンコ機の遊技仕様）
パチンコ機１０による遊技では、遊技者が発射ハンドル３４を操作すると、球皿２８に貯えられている遊技球は球送り装置３８により一球づつ発射装置４０に供給され、発射装置４０によって上方へ発射される（図１の矢印Ａ方向）。発射された遊技球は、外レール１０２に沿って遊技盤１００の遊技領域１０１に打ち込まれ、遊技釘に当たり方向を変えながら遊技領域１０１内を落下する。そして、入賞せずに遊技領域１０１の下端部に至った遊技球はアウト口１２４からパチンコ機１０内に回収される。
【００３４】
また、遊技球が入賞口１１８に入賞すると、賞球払出装置が作動して所定数（例えば５個）の賞球を払い出し、その払い出された賞球は、貯球タンク４２内を通りタンク出口４４を介して賞球排出口４６から球皿２８に排出される。
【００３５】
さらに、始動口１１０へ入賞すると、パチンコ機１０内の制御部（主制御基板）において当たり／外れの抽選処理が実行され、その抽選結果は、特別図柄表示装置１０６のディスプレイ画面１０８に、配列された複数の特別図柄が所定のパターンで変動されその変動パターンを経た停止図柄の組み合わせによって表示される。なお、この特別図柄の変動パターンには、例えば、リーチを経た当たり図柄の表示又は外れ図柄の表示、あるいはリーチなしの外れ図柄表示など、様々な演出や趣向を加味した数多くのパターンが用意されており、遊技者は、それらの演出を受け特別図柄の抽選結果を期待感も持って観察する。
【００３６】
そして、抽選結果が「大当たり」となった場合は、特別図柄表示装置１０６のディスプレイ画面１０８に、例えば、リーチ・アクションを経て「５５５」等の予め定められた所定の当たり図柄の組み合わせが表示されるとともに、表示灯８０の点滅やスピーカー８６、８８からの効果音出力などによる演出を加えて、大当たりが発生したことを遊技者に報知し、所定の大当たり動作を実行する。
【００３７】
大当たり動作としては、大入賞口１１４が、例えば１０カウント（入賞個数）又は最大３０秒間（１回の開放時間）／最高１６ラウンド（継続回数）開放されるとともに、１回の大入賞口１１４開放時に大入賞口１１４内のＶゾーンへの入賞を果たすことで次ラウンドを継続するといった動作が行われる。これにより、遊技者は、発射した遊技球を大入賞口１１４へ容易に入賞させ、例えば入賞１個当たり１５個の払い出しを受けるなどして、大量の賞球を獲得できるようになる。そして大量の賞球払い出しにより球皿２８が満杯になると、球皿２８に貯え切れなくなった分の賞球は貯球タンク４２内に貯球される。
【００３８】
また、当たり図柄が、例えば「７７７」等の予め定められた特定の図柄の組み合わせとなった場合には、上述した大当たり動作の終了後に、次の大当たり確率がアップする「確率変動機能」、あるいは大当たり確率は変わらないが普通図柄表示装置１１３の回転時間が短縮され始動口１１０が開放し易くなって球持ちをよくする「時短機能」といった付加機能が作動して、遊技者にとって有利な遊技状態が展開される。
【００３９】
次に、図３〜図５を用いて貯留タンク満杯検出装置の構成について詳細に説明する。
【００４０】
（貯留タンク満杯検出装置の構成）
図３〜図５に示すように、本実施形態に係る貯留タンク満杯検出装置２００（以下、単に「満杯検出装置２００」と呼ぶ）は、検出装置本体２０２、固定部材２０４、固定部材取付板２０６、及び固定部材取付板２０６を検出装置本体２０２に取り付ける２本のネジ２０８から構成されている。
【００４１】
（検出装置本体）
検出装置本体２０２は、合成樹脂製で直方体の箱状とされた本体ケース２１０を備えている。本体ケース２１０の前面２１０Ａは矩形状に開口されており、その開口には、矩形平板状の回動部材２１２が配置されて開口を塞いでいる。回動部材２１２は、本体ケース２１０と同材質の合成樹脂製とされており、両側面の上端部に形成された一対の軸部２１４（図３では片側を図示省略している）が本体ケース２１０の内側壁に形成された孔部に軸支されて前後方向（図３の矢印Ｆ／矢印Ｒ方向）に回動可能となっている。
【００４２】
本体ケース２１０内の底面上には、検出スイッチ２１６が取り付けられている。検出スイッチ２１６の前面からは触子２１８が突出しており、この触子２１８の先端は、回動部材２１２の後面に接触している。また、検出スイッチ２１６の検出情報（電気信号）を伝送する配線２２０は、本体ケース２１０の左側面２１０Ｌに形成されたスリット２２２から外部へ引き出されており、この配線２２０の先端に取り付けられたコネクター２２４は、島設備の遊技球補給装置に電気的に接続されるようになっている。
【００４３】
一方、図５に示すように、本体ケース２１０の後面２１０Ｂには、矩形平板状の蓋部材２２６が取り付けられている。この蓋部材２２６も、本体ケース２１０と同材質の合成樹脂材料で形成されている。また、本体ケース２１０の後面２１０Ｂには、検出スイッチ２１６と対応する部位（下側）が開口された図示しない凹陥部が設けられており、蓋部材２２６はその凹陥部に嵌め込まれて上記開口を塞いでいる。これにより、蓋部材２２６を本体ケース２１０から取り外すことで、凹陥部の開口を介し検出スイッチ２１６が本体ケース２１０内に着脱される。
【００４４】
また、蓋部材２２６後面の左右両側部近傍には、軸心部に貫通孔２２８を有するボス２３０がそれぞれ突設されており、本体ケース２１０の凹陥部には、各貫通孔２２８と対応する部位に図示しないネジ孔がそれぞれ形成されている。
【００４５】
検出装置本体２０２は以上の構成からなっており、この検出装置本体２０２の後面側に固定部材取付板２０６が取り付けられている。
【００４６】
（固定部材取付板）
固定部材取付板２０６はステンレス板製で、図５に示すように、縦板部２３２及び下板部２３４を備えた略Ｌ字形（鈍角）に形成されている。縦板部２３２の高さ寸法は、検出装置本体２０２の高さ寸法とほぼ同じとされており、下板部２３４の長さ寸法は、検出装置本体２０２の前後方向長さ寸法よりも少し長くされている。また、縦板部２３２の左右両側部近傍には、蓋部材２２６の貫通孔２２８と対応する円形孔２３６が２個形成されており、中央部には、高さ方向に所定の間隔で配置された矩形孔２３８が２個形成されている。
【００４７】
そして、固定部材取付板２０６は、各円形孔２３６にそれぞれネジ２０８が挿通され、それらのネジ２０８が蓋部材２２６の貫通孔２２８に挿入され本体ケース２１０のネジ孔にねじ込まれることにより、本体ケース２１０に蓋部材２２６と共締め固定されている。また、これにより、蓋部材２２６の後面（検出装置本体２０２の後面）と固定部材取付板２０６との間には、ボス２３０の高さ寸法分の隙間が形成される。この隙間に、固定部材２０４が嵌め込まれて取り付けられるようになっている。
【００４８】
（固定部材）
固定部材２０４はステンレス板製で、図５に示すように、取付板部２４０及び取付板部２４０の右側部に設けられたフック２４２からなる平面視Ｌ字状に形成されている。
【００４９】
取付板部２４０は、幅寸法が検出装置本体２０２の左右方向幅寸法よりも少し長くされており、略中央部には、取付板部２４０を一部切り抜いて形成された片持ち状の係合板部２４４が設けられている。係合板部２４４は、上部が取付板部２４０本体に繋がれ下部側が自由端とされて前後方向に弾性変形可能とされており、自由端側の先端部となる下端部には、後方へ断面略半円弧状に曲げ加工された突起部２４６が形成されている。
【００５０】
また、取付板部２４０には、係合板部２４４の左右両側で蓋部材２２６のボス２３０と対応する部位に、切り欠き２４８が２個形成されている。これらの切り欠き２４８は、取付板部２４０の下縁から高さ方向に沿って所定寸法切り欠かれた縦長形状となっている。さらに、取付板部２４０には、係合板部２４４と各切り欠き２４８との間に、高さ方向に所定の間隔で配列され前方へ打ち出し形成された縦長楕円形状の突起部２５０が２個づつ（計４個）形成されている。
【００５１】
一方、フック２４２は、下方が開放された断面略コ字状に曲げ形成されており、内側に配置された内板部２５２が取付板部２４０に接続されている。
【００５２】
また、上板部２５４を介して内板部２５２に繋がれるとともに内板部２５２と対向して外側に配置された外板部２５６は、自由端となる下部側が左右方向（内方／外方）に弾性変形可能とされており、その下端部には、内方へ断面略三角形状に曲げ加工された突起部２５８が形成されている。
【００５３】
さらに、図５の矢視Ｂ図に示すように、外板部２５６の中央部には、外板部２５６を一部切り抜いて形成された片持ち状の中板部２６０が形成されている。中板部２６０は、上部が外板部２５６本体に繋がれ下部側が自由端とされて左右方向（内方／外方）に弾性変形可能とされており、自由端側の先端部となる下端部には、内方へ断面略三角形状に曲げ加工された突起部２６２が形成されている。このように、フック２４２は、突起部２５８を備えた外板部２５６が内板部２５２に対し拡縮する構造のメインフックと、メインフック内（外板部２５６内）に配置されて突起部２５８を備えた中板部２６０が内板部２５２に対し拡縮する構造のサブフックと、の独立した２つのフックによって構成されている。
【００５４】
以上の構成からなる固定部材２０４は、検出装置本体２０２の後面と固定部材取付板２０６との間に形成される隙間に、取付板部２４０が上方から嵌め込まれて取り付けられる。この嵌め込み又は抜き出しでは、切り欠き２４８が蓋部材２２６のボス２３０に摺接してガイドとなり、さらに、突起部２５０が蓋部材２２６に摺接（略点接触）することで摩擦抵抗が下がるため、固定部材２０４を円滑に上下動することができる。そして、取付板部２４０を所定深さまで嵌め込むと、係合板部２４４の突起部２４６が固定部材取付板２０６の矩形孔２３８に係合し、その係合状態は係合板部２４４の弾性力によって保持される。また、突起部２４６を係合させる矩形孔２３８を上下に配置された２つの中から選択することにより、固定部材２０４は２段階に高さ調整可能となっている。
【００５５】
以上により、満杯検出装置２００が構成されている。また、図３及び図４に示す組立状態の満杯検出装置２００では、検出装置本体２０２の右側部（本体ケース２１０の右側面２１０Ｒ側）にフック２４２が配置される。
【００５６】
（貯留タンク満杯検出装置の取付構造）
図６及び図７には、満杯検出装置２００を右側排出構造の貯留タンクに取り付ける取付構造が示されている。なお、ここでのパチンコ機１０の裏面側は、図１２を用いて説明した従来のパチンコ機５００と同様の構成である。
【００５７】
内枠１４の裏面には、各種機構部品や回路基板等が搭載された機構枠体としての裏セット１５０が取り付けられており、裏セット１５０の上部に貯留タンク（上タンク）１５２が取り付けられている。この貯留タンク１５２は、底壁１５４が裏面視右側へ下降傾斜されてその右側最下端部に排出口１５６が設けられており、タンク内に貯えた遊技球を右側へ流下させて排出口１５６から落下・排出する右側排出構造となっている。また、貯留タンク１５２から排出された遊技球は、排出口１５６の下方に配置された球整列樋１５８に収容され、裏面視右側へ下降傾斜したその球整列樋（下タンク）１５８により、右側へ流下しながら球詰まりとならないよう整列されて、賞球払出装置（図示省略）へ送られる。
【００５８】
図７に示すように、貯留タンク１５２の前壁１６４の上流側（左側）には、薄肉部１６６が設けられている。また、裏セット１５０には、この薄肉部１６６と対応する部位に矩形状の切り欠き１６８が形成されている。これらの薄肉部１６６と切り欠き１６８とによって、前壁１６４の薄肉部１６６の前側には開口１７０が形成され、前壁１６４の薄肉部１６６では前面１６４Ａが露出されている。
【００５９】
また貯留タンク１５２の左側壁１６２には、フック１７２が２個固着されている。これらのフック１７２は、左側壁１６２上端面の後側及び前側に配置されており、形状は裏面視円弧状とされて配線２２０が引っ掛け固定及び離脱可能となっている。
【００６０】
図６に示すように、裏セット１５０の上面１５０Ａには、筒状の配線固定部材３１４（配線固定部材３１４Ｌ、３１４Ｃ、３１４Ｒ）、３個がそれぞれネジ３１６によって取り付けられている（図７参照）。これらの配線固定部材３１４は、裏セット１５０の上面１５０Ａの後縁に沿って左右方向に直線的に配列されるとともに、左側の配線固定部材３１４Ｌは貯留タンク１５２の前壁１６４の左側端部近傍に、右側の配線固定部材３１４Ｒは前壁１６４の右側端部近傍に、真中の配線固定部材３１４Ｃは前壁１６４の中央部近傍に配置されている。
【００６１】
（貯留タンク満杯検出装置の取付方法及び作用）
次に、本実施の形態に係る貯留タンク満杯検出装置の取付方法と作用について説明する。
【００６２】
この貯留タンク１５２に満杯検出装置２００を取り付けるには、検出装置本体２０２の右側部に設けられたフック２４２を用いて行う。
【００６３】
まず、検出装置本体２０２の回動部材２１２を貯留タンク１５２の下流側（裏面視右側）に向けて、満杯検出装置２００を貯留タンク１５２の上流側（裏面視左側）に配置し、フック２４２の下側の開放部を貯留タンク１５２の前壁１６４の薄肉部１６６上端部に位置合わせして、フック２４２を薄肉部１６６に押し込み係合させる。この押し込みでは、先に、外板部２５６（メインフック）の突起部２５８が薄肉部１６６の上端部に接触して外板部２５６が弾性変形により拡開する。次に、中板部２６０（サブフック）の突起部２６２が薄肉部１６６の上端部に接触して中板部２６０が弾性変形により拡開する。
【００６４】
そして、フック２４２の上板部２５４が前壁１６４（薄肉部１６６）の上端面に突き当たるか、あるいは、固定部材取付板２０６の下板部２３４が貯留タンク１５２の底壁１５４に接触するまで押し込むと、フック２４２は、外板部２５６及び中板部２６０の弾性力により、内板部２５２と、外板部２５６の突起部２５８及び中板部２６０の突起部２６２との間に薄肉部１６６を挟み込んで前壁１６４の後面１６４Ｂ及び前面１６４Ａに係合する（図７参照）。このフック２４２を介し、満杯検出装置２００は貯留タンク１５２に取り付けられる。また、フック２４２が上下方向に位置のずれた２つのフックで構成されていることにより、満杯検出装置２００をより安定して固定することができる。
【００６５】
また、図示のように、満杯検出装置２００を貯留タンク１５２に取り付けた後は、検出装置本体２０２の左側面に設けられたスリット２２２から引き出された配線２２０は、満杯検出装置２００の後方へ引き回されて貯留タンク１５２の左側壁１６２に設けられた２個のフック１７２に、後側、前側の順に引っ掛け固定される。さらに、裏セット１５０側へ引き回されて裏セット１５０に設けられた３個の配線固定部材３１４に、配線固定部材３１４Ｌ、配線固定部材３１４Ｃ、配線固定部材３１４Ｒの順に固定されてパチンコ機１０のヒンジ部１６側へ引き回され、コネクター２２４が島設備の遊技球補給装置に電気的に接続される。これにより、内枠１４を開閉する際に満杯検出装置２００の配線２２０が邪魔にならなくなり、内枠１４を支障なく開閉できるようになる。
【００６６】
このようにして、満杯検出装置２００を貯留タンク１５２に取り付けると、検出装置本体２０２はタンク内にセットされ、貯留タンク１５２が遊技球で満杯になると、検出装置本体２０２の回動部材２１２が球圧（図６（Ａ）の矢印Ｐ１）によって装置内方へ回動し、その回動部材２１２に触子２１８が押されて検出スイッチ２１６はスイッチＯＮとなる。また、賞球の払い出しなどに伴い貯留タンク１５２の遊技球貯留量が減少すると、回動部材２１２に加わる球圧が低下して触子２１８は突出し、検出スイッチ２１６はスイッチＯＦＦとなる。そして、このスイッチＯＮ／ＯＦＦによる検出情報は、配線２２０を介して島設備の遊技球補給装置に伝送され、遊技球補給装置は遊技球の補給／停止を自動的に実行する。
【００６７】
以上説明したように、本実施の形態に係る貯留タンク満杯検出装置の取付構造では、検出装置本体２０２の右側部に設けられたフック２４２を、右側排出構造の貯留タンク１５２の前壁１６４に設けた薄肉部１６６に係合させることにより、検出装置本体２０２を貯留タンク１５２の上流側に配置するとともに回動部材２１２を下流側に向けた状態で、満杯検出装置２００を右側排出構造の貯留タンク１５２に取り付けることができる。
【００６８】
また、本実施の形態では、フック２４２が弾性変形により拡縮可能とされており、薄肉部１６６は、貯留タンク１５２の前壁１６４の後面１６４Ｂ（タンク内面）と、前壁１６４の前側が開口１７０によって露出された前面１６４Ａ前面と、を有する構成としたことにより、フック２４２は、薄肉部１６６（前壁１６４）を挟み込むようにして前壁１６４の後面１６４Ｂ及び前面１６４Ａに係合することができる。また、フック２４２は弾性変形により拡縮可能であるため、前壁の厚さや形状等が異なる様々な貯留タンクに対し、確実且つ容易に係合させることができる。
【００６９】
また、本実施の形態では、満杯検出装置２００の配線２２０を裏セット１５０に設けた配線固定部材３１４によって固定したことにより、内枠１４を開閉する際に配線２２０が邪魔にならなくなり、内枠１４を支障なく開閉できるようになる。
【００７０】
さらに、本実施の形態では、満杯検出装置２００の配線引き出し部（スリット２２２）から裏セット１５０に設けた配線固定部材３１４までの距離が長いため、配線２２０が弛みやすくなるが、その配線引き出し部から配線固定部材３１４までの間を、貯留タンク１５２の左側壁１６２に設けたフック１７２で固定することにより、配線２２０を弛みなく整理することができる。
【００７１】
以上、本発明を上述した特定の実施形態により詳細に説明したが、本発明はそれに限定されるものではなく、本発明の範囲内にて他の種々の実施形態が可能である。
【００７２】
例えば、配線固定部材３１４は、裏セット１５０に取り付ける他に、内枠１４の裏面、あるいは、内枠１４の裏面上部に配設される他の部品等に取り付けてもよい。さらに、配線固定部材は別体ではなく、裏セットや内枠等に一体的に設けることも可能である。また、この配線固定部材３１４を、内枠１４裏面側のヒンジ部１６寄りにも追加し、満杯検出装置２００を左側排出構造の貯留タンク１３２に取り付けた場合に、その追加した配線固定部材３１４を用いて配線２２０を配線処理することもできる。
【００７３】
【発明の効果】
本発明の貯留タンク満杯検出装置の取付構造は上記構成としたので、パチンコ機に設けられた貯留タンクの遊技球排出方向が右側の場合でも貯留タンク満杯検出装置を貯留タンクに取り付けることができる。また、本発明の貯留タンク満杯検出装置の取付構造は上記構成としたので、右側排出構造の貯留タンクに貯留タンク満杯検出装置を取り付けた場合でも内枠を支障なく開閉することができる。
【図面の簡単な説明】
【図１】本発明の一実施の形態に係るパチンコ機を示した斜視図である。
【図２】本発明の一実施の形態に係るパチンコ機を示した正面図である。
【図３】本発明の一実施の形態に係る貯留タンク満杯検出装置を示した正面側から見た斜視図である。
【図４】本発明の一実施の形態に係る貯留タンク満杯検出装置を示した裏面側から見た斜視図である。
【図５】本発明の一実施の形態に係る貯留タンク満杯検出装置を示した裏面側から見た分解斜視図である。
【図６】本発明の一実施の形態に係る貯留タンク満杯検出装置が左側排出構造の貯留タンクに取り付けられた状態を示した、（Ａ）が平面図であり、（Ｂ）が裏面図である。
【図７】本発明の一実施の形態に係る貯留タンク満杯検出装置が右側排出構造の貯留タンクに取り付けられた状態を示した正面側から見た斜視図である。
【図８】従来のパチンコ機に左側排出構造の貯留タンクが設けられた例を示した裏面図である。
【図９】従来の貯留タンク満杯検出装置が左側排出構造の貯留タンクに取り付けられた状態を示した、（Ａ）が平面図であり、（Ｂ）が裏面図である。
【図１０】従来の貯留タンク満杯検出装置が左側排出構造の貯留タンクに取り付けられた状態を示した正面側から見た斜視図である。
【図１１】従来の貯留タンク満杯検出装置を示した裏面側から見た斜視図である。
【図１２】従来のパチンコ機に右側排出構造の貯留タンクが設けられた例を示した裏面図である。
【符号の説明】
１０        パチンコ機（遊技機）
１４        内枠
１５０        裏セット（内枠の裏面側）
１５０Ａ      上面（内枠の裏面側）
１５２        貯留タンク
１６２        左側壁
１６４        前壁
１６４Ａ      前面
１６４Ｂ      後面
１６６        薄肉部（被係合部）
１７０        開口
１７２        フック（請求項４の配線固定部）
２００        貯留タンク満杯検出装置
２０２        検出装置本体
２１２        回動部材（検出部）
２２０        配線
２４２        フック（係合部／フック状）
３１４        配線固定部材（請求項３の配線固定部）
４２６        後壁（周壁部）
【図１】
2004208763.tif 000003
【図２】
2004208763.tif 000004
【図３】
2004208763.tif 000005
【図４】
2004208763.tif 000006
【図５】
2004208763.tif 000007
【図６】
2004208763.tif 000008
【図７】
2004208763.tif 000009
【図８】
2004208763.tif 000010
【図９】
2004208763.tif 000011
【図１０】
2004208763.tif 000012
【図１１】
2004208763.tif 000013
【図１２】
2004208763.tif 000014